(57)【要約】【課題】発光層からの光が光軸方向の一方の側のみに出射する発光素子を用いつつ、光軸方向の両方の側に発光素子からの光を照射する照明装置を提供し、照明装置全体の径方向寸法を小型化する。【解決手段】発光層13からの光が光軸方向の一方の側のみに出射する発光素子10を具備する照明装置100において、発光素子10の外接円10"の半径R10より大きい半径R27bを有する頂面27bを備えた概略円錐台形状の導光レンズ27を設け、発光素子10からの光L1,L2が封止樹脂26及び導光レンズ27の底面27aを透過せしめられ、導光レンズ27の頂面27bから出射し、発光素子10からの光L3,L4が封止樹脂26及び導光レンズ27の底面27aを透過せしめられ、導光レンズ27の側面27c及び頂面27bによって全反射され、導光レンズ27の底面27aから出射し、封止樹脂26及び透明な基材21を透過せしめられる。【選択図】図５
2011216188.tif 000002
【特許請求の範囲】
【請求項１】
光軸方向の一方の側のみに光を出射する発光素子（１０）を具備する照明装置（１００）において、
円形の底面（２７ａ）と、底面（２７ａ）の半径（Ｒ２７ａ）よりも小さい半径（Ｒ２７ｂ）を有する円形の頂面（２７ｂ）と、底面（２７ａ）と頂面（２７ｂ）とを接続する側面（２７ｃ）とを有する概略円錐台形状の導光レンズ（２７）を設け、
発光素子（１０）の光軸（１０’）と導光レンズ（２７）の中心軸線（２７’）とがほぼ一致するように、導光レンズ（２７）の底面（２７ａ）と発光素子（１０）の発光面側とを対向させて発光素子（１０）を透明な基材（２１）に接続し、
導光レンズ（２７）の頂面（２７ｂ）の半径（Ｒ２７ｂ）が発光素子（１０）の外接円（１０”）の半径（Ｒ１０）よりも大きくなるように導光レンズ（２７）を形成し、
発光素子（１０）からの光の一部が、導光レンズ（２７）の底面（２７ａ）を透過せしめられ、次いで、導光レンズ（２７）の頂面（２７ｂ）から出射し、導光レンズ（２７）を隔てて発光素子（１０）の反対側に照射され、
発光素子（１０）からの光の一部が、導光レンズ（２７）の底面（２７ａ）を透過せしめられ、次いで、導光レンズ（２７）の側面（２７ｃ）のうち、導光レンズ（２７）の中心軸線（２７’）の一方の側の部分（２７ｃ１）によって全反射され、次いで、導光レンズ（２７）の頂面（２７ｂ）によって全反射され、次いで、導光レンズ（２７）の側面（２７ｃ）のうち、導光レンズ（２７）の中心軸線（２７’）の他方の側の部分（２７ｃ２）によって全反射され、次いで、導光レンズ（２７）の底面（２７ａ）から出射し、次いで、発光素子（１０）よりも導光レンズ（２７）の中心軸線（２７’）から離れた位置から発光素子（１０）を隔てて導光レンズ（２７）の反対側に照射されることを特徴とする照明装置（１００）。
【請求項２】
導光レンズ（２７）と空気との界面に入射する光の臨界角と等しい大きさの入射角で導光レンズ（２７）の底面（２７ａ）に入射する発光素子（１０）からの光が、導光レンズ（２７）の側面（２７ｃ）のうち、導光レンズ（２７）の中心軸線（２７’）の一方の側の部分（２７ｃ１）によって全反射され、次いで、導光レンズ（２７）の頂面（２７ｂ）によって全反射され、次いで、導光レンズ（２７）の側面（２７ｃ）のうち、導光レンズ（２７）の中心軸線（２７’）の他方の側の部分（２７ｃ２）によって全反射され、次いで、導光レンズ（２７）の底面（２７ａ）から出射し、次いで、発光素子（１０）よりも導光レンズ（２７）の中心軸線（２７’）から離れた位置から発光素子（１０）を隔てて導光レンズ（２７）の反対側に照射されるように、導光レンズ（２７）の形状を設定すると共に、導光レンズ（２７）に対して発光素子（１０）を配置したことを特徴とする請求項１に記載の照明装置（１００）。
【請求項３】
発光素子（１０）から照射され、導光レンズ（２７）の底面（２７ａ）を透過せしめられ、導光レンズ（２７）の側面（２７ｃ）のうち、導光レンズ（２７）の中心軸線（２７’）の一方の側の部分（２７ｃ１）に入射するすべての光の入射角が臨界角以上の角度になるように、導光レンズ（２７）の形状を設定すると共に、導光レンズ（２７）に対して発光素子（１０）を配置したことを特徴とする請求項１に記載の照明装置（１００）。
【発明の詳細な説明】
【技術分野】
【０００１】
本発明は、発光素子の発光層からの光が発光素子の光軸方向の一方の側のみに出射し、発光素子の光軸方向の他方の側に出射しない発光素子を用いつつ、発光素子の光軸方向の一方の側および他方の側の両方に発光素子からの光を照射することができると共に、照明装置全体の径方向寸法を小型化することができる照明装置に関する。
【背景技術】
【０００２】
従来から、光軸方向の一方の側のみに光を出射する発光素子が知られている。この種の発光素子の例としては、例えば特許文献１（特開２００７−１５７８５０号公報）の図９および図１０に記載されたものがある。特許文献１の図９および図１０に記載された発光素子では、透明な基板と、発光層と、発光層を隔てて基板の反対側に配置された電極とが設けられている。また、発光層からの光が、電極側の部分から出射せず、基板側の部分から出射するように構成されている。
【０００３】
特許文献１の図９および図１０に記載された発光素子は、フリップチップ実装されるように構成されている。詳細には、特許文献１の図９および図１０に記載された発光素子では、発光層から基板の側に放射された光が、透明な基板を透過せしめられ、基板から出射する。また、発光層から電極の側に放射された光が、電極によって反射され、発光層、透明な基板などを透過せしめられ、基板から出射する。つまり、特許文献１の図９および図１０に記載された発光素子では、発光層からの光が発光素子の光軸方向の一方の側のみに出射する。
【０００４】
本明細書において「光軸方向の一方の側のみに光を出射する」とは、特許文献１の図１０に記載された発光素子のように、発光層から電極の側（特許文献１の図１０の下側）に放射された光が、電極によって反射され、電極側の部分から出射しないことを意味する。つまり、本明細書において「光軸方向の一方の側のみに光を出射する」とは、発光層からの光が基板側（特許文献１の図１０の上側）の部分から出射することのみならず、発光層からの光が基板側（特許文献１の図１０の上側）の部分から出射すると共に発光素子の側面部分（特許文献１の図１０の左側部分および右側部分）から出射することも意味する。
【０００５】
また、従来から、光軸方向の一方の側のみに光を出射する発光素子が知られている。この種の発光素子の例としては、例えば特許文献２（特開２００９−２０６２２２号公報）の図１および図３に記載されたものがある。特許文献２の図１および図３に記載されたものでは、発光素子の上側および下側に電極が設けられている。また、発光素子の発光層からの光が、発光素子の下側の部分から出射せず、発光素子の上側電極の周りの部分から出射するように構成されている。
【０００６】
特許文献２の図１および図３に記載された発光素子は、ワイヤボンディング実装されるように構成されている。詳細には、特許文献２の図１および図３に記載されたものでは、発光素子の発光層から上側に放射された光が、上側電極の周りの部分を透過せしめられて出射する。また、発光素子の発光層から下側に放射された光が、下側電極によって反射され、発光層などを透過せしめられ、上側電極の周りの部分から出射する。つまり、特許文献２の図１および図３に記載された発光素子では、発光層からの光が発光素子の光軸方向の一方の側のみに出射する。
【０００７】
更に、従来から、発光層からの光が光軸方向の一方の側のみに出射する発光素子を用いつつ、光軸方向の両方の側に発光素子からの光を照射するように構成された照明装置が知られている。この種の照明装置の例としては、例えば特許文献３（特開２００３−２５８３１８号公報）の図１に記載されたものがある。特許文献３の図１に記載された照明装置では、発光素子からの光の一部が、反射ミラーの中心に形成された貫通穴を透過せしめられ、発光素子の光軸方向の一方の側に照射される。また、発光素子からの光の一部が、反射ミラーによって反射され、発光素子の光軸方向の他方の側に照射される。
【０００８】
ところで、特許文献３の図１に記載された照明装置では、反射ミラーからの反射光が発光素子の光軸から離れる側に進む。そのため、特許文献３の図１に記載された照明装置では、反射ミラーからの反射光を透過させるための透明エポキシ樹脂製の導光部材が大型化してしまい、その結果、照明装置全体が大型化してしまう。詳細には、特許文献３の図１に記載された照明装置では、反射ミラーからの反射光を透過させるための導光部材の径方向寸法（発光素子の光軸に直交する方法の寸法）が大型化してしまう。
【先行技術文献】
【特許文献】
【０００９】
【特許文献１】特開２００７−１５７８５０号公報
【特許文献２】特開２００９−２０６２２２号公報
【特許文献３】特開２００３−２５８３１８号公報
【発明の概要】
【発明が解決しようとする課題】
【００１０】
前記問題点に鑑み、本発明は、発光素子の発光層からの光が発光素子の光軸方向の一方の側のみに出射し、発光素子の光軸方向の他方の側に出射しない発光素子を用いつつ、発光素子の光軸方向の一方の側および他方の側の両方に発光素子からの光を照射することができると共に、照明装置全体の径方向寸法を小型化することができる照明装置を提供することを目的とする。
【課題を解決するための手段】
【００１１】
請求項１に記載の発明によれば、光軸方向の一方の側のみに光を出射する発光素子（１０）を具備する照明装置（１００）において、
円形の底面（２７ａ）と、底面（２７ａ）の半径（Ｒ２７ａ）よりも小さい半径（Ｒ２７ｂ）を有する円形の頂面（２７ｂ）と、底面（２７ａ）と頂面（２７ｂ）とを接続する側面（２７ｃ）とを有する概略円錐台形状の導光レンズ（２７）を設け、
発光素子（１０）の光軸（１０’）と導光レンズ（２７）の中心軸線（２７’）とがほぼ一致するように、導光レンズ（２７）の底面（２７ａ）と発光素子（１０）の発光面側とを対向させて発光素子（１０）を透明な基材（２１）に接続し、
導光レンズ（２７）の頂面（２７ｂ）の半径（Ｒ２７ｂ）が発光素子（１０）の外接円（１０”）の半径（Ｒ１０）よりも大きくなるように導光レンズ（２７）を形成し、
発光素子（１０）からの光の一部が、導光レンズ（２７）の底面（２７ａ）を透過せしめられ、次いで、導光レンズ（２７）の頂面（２７ｂ）から出射し、導光レンズ（２７）を隔てて発光素子（１０）の反対側に照射され、
発光素子（１０）からの光の一部が、導光レンズ（２７）の底面（２７ａ）を透過せしめられ、次いで、導光レンズ（２７）の側面（２７ｃ）のうち、導光レンズ（２７）の中心軸線（２７’）の一方の側の部分（２７ｃ１）によって全反射され、次いで、導光レンズ（２７）の頂面（２７ｂ）によって全反射され、次いで、導光レンズ（２７）の側面（２７ｃ）のうち、導光レンズ（２７）の中心軸線（２７’）の他方の側の部分（２７ｃ２）によって全反射され、次いで、導光レンズ（２７）の底面（２７ａ）から出射し、次いで、発光素子（１０）よりも導光レンズ（２７）の中心軸線（２７’）から離れた位置から発光素子（１０）を隔てて導光レンズ（２７）の反対側に照射されることを特徴とする照明装置（１００）が提供される。
【００１２】
請求項２に記載の発明によれば、導光レンズ（２７）と空気との界面に入射する光の臨界角と等しい大きさの入射角で導光レンズ（２７）の底面（２７ａ）に入射する発光素子（１０）からの光が、導光レンズ（２７）の側面（２７ｃ）のうち、導光レンズ（２７）の中心軸線（２７’）の一方の側の部分（２７ｃ１）によって全反射され、次いで、導光レンズ（２７）の頂面（２７ｂ）によって全反射され、次いで、導光レンズ（２７）の側面（２７ｃ）のうち、導光レンズ（２７）の中心軸線（２７’）の他方の側の部分（２７ｃ２）によって全反射され、次いで、導光レンズ（２７）の底面（２７ａ）から出射し、次いで、発光素子（１０）よりも導光レンズ（２７）の中心軸線（２７’）から離れた位置から発光素子（１０）を隔てて導光レンズ（２７）の反対側に照射されるように、導光レンズ（２７）の形状を設定すると共に、導光レンズ（２７）に対して発光素子（１０）を配置したことを特徴とする請求項１に記載の照明装置（１００）が提供される。
【００１３】
請求項３に記載の発明によれば、発光素子（１０）から照射され、導光レンズ（２７）の底面（２７ａ）を透過せしめられ、導光レンズ（２７）の側面（２７ｃ）のうち、導光レンズ（２７）の中心軸線（２７’）の一方の側の部分（２７ｃ１）に入射するすべての光の入射角が臨界角以上の角度になるように、導光レンズ（２７）の形状を設定すると共に、導光レンズ（２７）に対して発光素子（１０）を配置したことを特徴とする請求項１に記載の照明装置（１００）が提供される。
【発明の効果】
【００１４】
請求項１に記載の照明装置（１００）では、光軸方向の一方の側のみに光を出射する発光素子（１０）が設けられている。詳細には、円形の底面（２７ａ）と、底面（２７ａ）の半径（Ｒ２７ａ）よりも小さい半径（Ｒ２７ｂ）を有する円形の頂面（２７ｂ）と、底面（２７ａ）と頂面（２７ｂ）とを接続する側面（２７ｃ）とを有する概略円錐台形状の導光レンズ（２７）が設けられている。また、発光素子（１０）の光軸（１０’）と導光レンズ（２７）の中心軸線（２７’）とがほぼ一致するように、導光レンズ（２７）の底面（２７ａ）と発光素子（１０）の発光面側とを対向させて発光素子（１０）が透明な基材（２１）に接続されている。更に、導光レンズ（２７）の頂面（２７ｂ）の半径（Ｒ２７ｂ）が発光素子（１０）の外接円（１０”）の半径（Ｒ１０）よりも大きくなるように導光レンズ（２７）が形成されている。
【００１５】
その結果、請求項１に記載の照明装置（１００）では、発光素子（１０）からの光の一部が、導光レンズ（２７）の底面（２７ａ）を透過せしめられ、次いで、導光レンズ（２７）の頂面（２７ｂ）から出射し、導光レンズ（２７）を隔てて発光素子（１０）の反対側に照射される。
【００１６】
更に、請求項１に記載の照明装置（１００）では、発光素子（１０）からの光の一部が、導光レンズ（２７）の底面（２７ａ）を透過せしめられ、次いで、導光レンズ（２７）の側面（２７ｃ）のうち、導光レンズ（２７）の中心軸線（２７’）の一方の側の部分（２７ｃ１）によって全反射され、次いで、導光レンズ（２７）の頂面（２７ｂ）によって全反射され、次いで、導光レンズ（２７）の側面（２７ｃ）のうち、導光レンズ（２７）の中心軸線（２７’）の他方の側の部分（２７ｃ２）によって全反射され、次いで、導光レンズ（２７）の底面（２７ａ）から出射し、次いで、発光素子（１０）よりも導光レンズ（２７）の中心軸線（２７’）から離れた位置から発光素子（１０）を隔てて導光レンズ（２７）の反対側に照射される。
【００１７】
そのため、請求項１に記載の照明装置（１００）によれば、光軸方向の一方の側のみに光を出射する発光素子（１０）を用いつつ、発光素子（１０）からの光の一部を、導光レンズ（２７）を隔てて発光素子（１０）の反対側に照射すると共に、発光素子（１０）からの光の一部を、発光素子（１０）を隔てて導光レンズ（２７）の反対側に照射することができる。
【００１８】
つまり、請求項１に記載の照明装置（１００）によれば、光軸方向の一方の側のみに光を出射する発光素子（１０）を用いつつ、発光素子（１０）の光軸方向の一方の側および他方の側の両方に発光素子（１０）からの光を照射することができる。
【００１９】
詳細には、請求項１に記載の照明装置（１００）では、導光レンズ（２７）の頂面（２７ｂ）の半径（Ｒ２７ｂ）が発光素子（１０）の外接円（１０”）の半径（Ｒ１０）よりも大きくなるように導光レンズ（２７）が形成されているため、導光レンズ（２７）の側面（２７ｃ）のうち、導光レンズ（２７）の中心軸線（２７’）の他方の側の部分（２７ｃ２）からのすべての反射光が、導光レンズ（２７）の中心軸線（２７’）に近づく側に進む光になる。
【００２０】
その結果、請求項１に記載の照明装置（１００）によれば、導光レンズ（２７）の側面（２７ｃ）のうち導光レンズ（２７）の中心軸線（２７’）の他方の側の部分（２７ｃ２）からの反射光が導光レンズ（２７）の中心軸線（２７’）から離れる側に進む光になる場合よりも、導光レンズ（２７）の側面（２７ｃ）のうち導光レンズ（２７）の中心軸線（２７’）の他方の側の部分（２７ｃ２）からの反射光を透過させるための領域の径方向寸法（導光レンズ（２７）の中心軸線（２７’）（発光素子（１０）の光軸（１０’））に直交する方向の寸法）を小さくすることができる。
【００２１】
つまり、請求項１に記載の照明装置（１００）によれば、導光レンズ（２７）の側面（２７ｃ）のうち導光レンズ（２７）の中心軸線（２７’）の他方の側の部分（２７ｃ２）からの反射光が導光レンズ（２７）の中心軸線（２７’）から離れる側に進む光になる場合よりも、導光レンズ（２７）の側面（２７ｃ）のうち導光レンズ（２７）の中心軸線（２７’）の他方の側の部分（２７ｃ２）からの反射光を遮ってしまうおそれがある部材を導光レンズ（２７）の中心軸線（２７’）の近くに配置することができ、照明装置（１００）全体の径方向寸法（導光レンズ（２７）の中心軸線（２７’）（発光素子（１０）の光軸（１０’））に直交する方向の寸法）を小型化することができる。
【００２２】
換言すれば、請求項１に記載の照明装置（１００）によれば、発光素子（１０）の発光層（１３）からの光が発光素子（１０）の光軸方向の一方の側のみに出射し、発光素子（１０）の光軸方向の他方の側に出射しない発光素子（１０）を用いつつ、発光素子（１０）の光軸方向の一方の側および他方の側の両方に発光素子（１０）からの光を照射することができると共に、照明装置（１００）全体の径方向寸法を小型化することができる。
【００２３】
請求項２に記載の照明装置（１００）では、導光レンズ（２７）と空気との界面に入射する光の臨界角と等しい大きさの入射角で導光レンズ（２７）の底面（２７ａ）に入射する発光素子（１０）からの光が、導光レンズ（２７）の側面（２７ｃ）のうち、導光レンズ（２７）の中心軸線（２７’）の一方の側の部分（２７ｃ１）によって全反射され、次いで、導光レンズ（２７）の頂面（２７ｂ）によって全反射され、次いで、導光レンズ（２７）の側面（２７ｃ）のうち、導光レンズ（２７）の中心軸線（２７’）の他方の側の部分（２７ｃ２）によって全反射され、次いで、導光レンズ（２７）の底面（２７ａ）から出射し、次いで、発光素子（１０）よりも導光レンズ（２７）の中心軸線（２７’）から離れた位置から発光素子（１０）を隔てて導光レンズ（２７）の反対側に照射されるように、導光レンズ（２７）の形状が設定されると共に、導光レンズ（２７）に対して発光素子（１０）が配置されている。
【００２４】
つまり、請求項２に記載の照明装置（１００）では、発光素子（１０）の光軸（１０’）に対して導光レンズ（２７）と空気との界面に入射する光の臨界角と等しい大きさの角度をなす発光素子（１０）からの光が、有効利用され、発光素子（１０）を隔てて導光レンズ（２７）の反対側に照射される。
【００２５】
そのため、請求項２に記載の照明装置（１００）によれば、発光素子（１０）の光軸（１０’）に対して導光レンズ（２７）と空気との界面に入射する光の臨界角と等しい大きさの角度をなす発光素子（１０）からの光が導光レンズ（２７）の底面（２７ａ）に入射しない場合、導光レンズ（２７）と空気との界面に入射する光の臨界角と等しい大きさの入射角で導光レンズ（２７）の底面（２７ａ）に入射する発光素子（１０）からの光が導光レンズ（２７）の側面（２７ｃ）のうち導光レンズ（２７）の中心軸線（２７’）の一方の側の部分（２７ｃ１）によって全反射されない場合、あるいは、導光レンズ（２７）と空気との界面に入射する光の臨界角と等しい大きさの入射角で導光レンズ（２７）の底面（２７ａ）に入射する発光素子（１０）からの光が導光レンズ（２７）の頂面（２７ｂ）によって全反射されない場合よりも、発光素子（１０）を隔てて導光レンズ（２７）の反対側に照射される光を増加させることができる。
【００２６】
請求項３に記載の照明装置（１００）では、発光素子（１０）から照射され、導光レンズ（２７）の底面（２７ａ）を透過せしめられ、導光レンズ（２７）の側面（２７ｃ）のうち、導光レンズ（２７）の中心軸線（２７’）の一方の側の部分（２７ｃ１）に入射するすべての光の入射角が臨界角以上の角度になるように、導光レンズ（２７）の形状が設定されると共に、導光レンズ（２７）に対して発光素子（１０）が配置されている。
【００２７】
つまり、請求項３に記載の照明装置（１００）では、発光素子（１０）から照射され、導光レンズ（２７）の底面（２７ａ）を透過せしめられ、導光レンズ（２７）の側面（２７ｃ）のうち、導光レンズ（２７）の中心軸線（２７’）の一方の側の部分（２７ｃ１）に入射するすべての光が、導光レンズ（２７）の側面（２７ｃ）のうち、導光レンズ（２７）の中心軸線（２７’）の一方の側の部分（２７ｃ１）によって全反射される。
【００２８】
そのため、請求項３に記載の照明装置（１００）によれば、発光素子（１０）から照射され、導光レンズ（２７）の底面（２７ａ）を透過せしめられ、導光レンズ（２７）の側面（２７ｃ）のうち、導光レンズ（２７）の中心軸線（２７’）の一方の側の部分（２７ｃ１）に入射する光の一部が、導光レンズ（２７）の側面（２７ｃ）のうち、導光レンズ（２７）の中心軸線（２７’）の一方の側の部分（２７ｃ１）を透過せしめられる場合よりも、発光素子（１０）を隔てて導光レンズ（２７）の反対側に照射される光を増加させることができる。
【図面の簡単な説明】
【００２９】
【図１】第１の実施形態の照明装置１００を示した図である。
【図２】第１の実施形態の照明装置１００の一部を構成する発光素子１０の拡大部品図である。
【図３】第１の実施形態の照明装置１００の一部を構成する基材２１の部品図である。
【図４】第１の実施形態の照明装置１００の一部を構成する導光レンズ２７などを示した図である。
【図５】第１の実施形態の照明装置１００から照射される光Ｌ１，Ｌ２，Ｌ３，Ｌ４を説明するための図である。
【図６】第６の実施形態の照明装置１００および第６の実施形態の照明装置１００から照射される光Ｌ１１，Ｌ１２を説明するための図である。
【図７】第６の実施形態の照明装置１００から照射される光Ｌ１３，Ｌ１４を説明するための図である。
【図８】第７の実施形態の照明装置１００および第７の実施形態の照明装置１００から照射される光Ｌ２１，Ｌ２２を説明するための図である。
【図９】第７の実施形態の照明装置１００から照射される光Ｌ２３，Ｌ２４を説明するための図である。
【図１０】第８の実施形態の照明装置１００を示した図である。
【図１１】第８の実施形態の照明装置１００の一部を構成する発光素子１０を有する発光素子パッケージ４０の拡大部品図である。
【図１２】第８の実施形態の照明装置１００の一部を構成する基材２１の部品図である。
【図１３】第８の実施形態の照明装置１００から照射される光Ｌ１，Ｌ２，Ｌ３，Ｌ４を説明するための図である。
【図１４】第９の実施形態の照明装置１００を示した図である。
【図１５】第９の実施形態の照明装置１００の一部を構成する発光素子１０を有する発光素子パッケージ４０の拡大部品図である。
【図１６】第９の実施形態の照明装置１００から照射される光Ｌ１，Ｌ２，Ｌ３，Ｌ４を説明するための図である。
【図１７】本発明の照明装置の適用例を示した図である。
【図１８】本発明の照明装置の他の適用例を示した図である。
【発明を実施するための形態】
【００３０】
図１は第１の実施形態の照明装置１００を示した図である。詳細には、図１は第１の実施形態の照明装置１００の一部を構成する発光素子１０の光軸１０’および導光レンズ２７の中心軸線２７’を含む概略的な断面図である。図２は第１の実施形態の照明装置１００の一部を構成する発光素子１０の拡大部品図である。詳細には、図２（Ａ）は発光素子１０の光軸１０’を含む発光素子１０の拡大断面図である。図２（Ｂ）は発光素子１０の拡大底面図である。つまり、図２（Ｂ）は図２（Ａ）の下側から発光素子１０を見た図である。図２（Ｃ）は発光素子１０の発光層１３からの光Ｌａ，Ｌｂを説明するための図である。
【００３１】
図３は第１の実施形態の照明装置１００の一部を構成する基材２１の部品図である。詳細には、図３（Ａ）は基材２１の平面図である。図３（Ｂ）は基材２１の正面図である。図３（Ｃ）は図３（Ａ）のＡ−Ａ線に沿った概略的な断面図である。図４は第１の実施形態の照明装置１００の一部を構成する導光レンズ２７などを示した図である。詳細には、図４（Ａ）は第１の実施形態の照明装置１００の導光レンズ２７の平面図である。図４（Ｂ）は第１の実施形態の照明装置１００の導光レンズ２７の正面図である。図４（Ｃ）は第１の実施形態の照明装置１００の導光レンズ２７の中心軸線２７’を含む断面図である。図４（Ｄ）は第２の実施形態の照明装置１００の導光レンズ２７の中心軸線２７’を含む断面図である。図５は第１の実施形態の照明装置１００から照射される光Ｌ１，Ｌ２，Ｌ３，Ｌ４を説明するための図である。
【００３２】
第１の実施形態の照明装置１００では、図１に示すように、透明な基板１１と、発光層１３と、発光層１３を隔てて基板１１の反対側（図１の下側）に配置された電極１５とを有する発光素子１０が設けられている。詳細には、第１の実施形態の照明装置１００に適用されている発光素子１０では、例えば、図２に示すように、透明な基板１１と、Ｎ型半導体層１２と、発光層１３と、Ｐ型半導体層１４と、Ｐ側電極１５と、Ｎ側電極１６とが形成されている。詳細には、図２（Ｃ）に示すように、発光素子１０の発光層１３から図２（Ｃ）の下側に放射された光Ｌａが、Ｐ側電極１５によって反射され、発光素子１０の基板１１側（図２（Ｃ）の上側）の部分１０ｂから図２（Ｃ）の上向きに出射する。更に、発光素子１０の発光層１３から図２（Ｃ）の上側に放射された光Ｌｂが、発光素子１０の基板１１側（図２（Ｃ）の上側）の部分１０ｂから図２（Ｃ）の上向きに出射する。つまり、第１の実施形態の照明装置１００では、図２（Ｃ）に示すように、発光素子１０の発光層１３からの光Ｌａ，Ｌｂが、発光素子１０のＰ側電極１５側の部分１０ａから出射せず、発光素子１０の基板１１側の部分１０ｂから出射するように発光素子１０が構成されている。
【００３３】
更に、第１の実施形態の照明装置１００では、図１および図４に示すように、円形の底面２７ａと、底面２７ａの半径Ｒ２７ａ（図４（Ａ）参照）よりも小さい半径Ｒ２７ｂ（図４（Ａ）参照）を有する円形の頂面２７ｂと、底面２７ａと頂面２７ｂとを接続する側面２７ｃとを有し、例えばアクリルなどのような透光性樹脂、ガラスなどの透光性材料によって形成された概略円錐台形状の導光レンズ２７が設けられている。また、図１に示すように、発光素子１０の光軸１０’と導光レンズ２７の中心軸線２７’とがほぼ一致するように、導光レンズ２７の底面２７ａと発光素子１０の基板１１側（図１の上側）の部分１０ｂとを対向させて導光レンズ２７および発光素子１０が基材２１に接続されている。更に、導光レンズ２７の頂面２７ｂの半径Ｒ２７ｂ（図４（Ａ）参照）が発光素子１０の外接円１０”（図２（Ｂ）参照）の半径Ｒ１０（図２（Ｂ）参照）よりも大きくなるように導光レンズ２７が形成されている。
【００３４】
また、第１の実施形態の照明装置１００では、図１および図３に示すように、発光素子１０を収容するための凹部２１ａを有し、例えば透光性樹脂などのような透光性材料によって形成された透明な基材２１が用いられている。第１の実施形態の照明装置１００では、図１に示すように、導光レンズ２７の側面２７ｃから延びているフランジ部２７ｄと基材２１とを例えば接着剤などによって接合することにより、導光レンズ２７が基材２１に接続されているが、第２の実施形態の照明装置１００では、代わりに、図４（Ｄ）に示すように、導光レンズ２７にフック部２７ｅを形成し、導光レンズ２７のフック部２７ｅを基材２１に係止することにより、導光レンズ２７を基材２１に接続することも可能である。
【００３５】
更に、第１の実施形態の照明装置１００では、図３（Ａ）および図３（Ｃ）に示すように、概略直方体形状の凹部２１ａが基材２１に形成されているが、第３の実施形態の照明装置１００では、代わりに、概略円柱形状または概略円錐台形状の凹部２１ａを基材２１に形成することも可能である。
【００３６】
詳細には、第１の実施形態の照明装置１００では、図３に示すように、発光素子１０（図１参照）に対する給電を行うためのＰ側給電用端子２３と、Ｎ側給電用端子２５とが基材２１に設けられている。また、例えばＩＴＯなどのような材料によって形成された透明電極２２がＰ側給電用端子２３に接続され、例えばＩＴＯなどのような材料によって形成された透明電極２４がＮ側給電用端子２５に接続されている。
【００３７】
また、第１の実施形態の照明装置１００では、図１に示すように、発光素子１０が基材２１の凹部２１ａ内に配置されている。詳細には、発光素子１０のＰ側電極１５（図２（Ｂ）参照）と基材２１の凹部２１ａ内の透明電極２２（図３（Ａ）および図３（Ｃ）参照）とが電気的に接続され、発光素子１０のＮ側電極１６（図２（Ｂ）参照）と基材２１の凹部２１ａ内の透明電極２４（図３（Ａ）および図３（Ｃ）参照）とが電気的に接続されている。更に、基材２１の凹部２１ａ内に発光素子１０が配置され、例えばエポキシ樹脂などのような透明な封止樹脂２６によって発光素子１０が封止されている。
【００３８】
第１の実施形態の照明装置１００では、図１に示すように、透明な封止樹脂２６によって発光素子１０が封止されているが、第４の実施形態の照明装置１００では、代わりに、封止樹脂２６を省略することも可能である。また、第１の実施形態の照明装置１００では、図１および図２に示すように、フリップチップ実装可能に構成された発光素子１０が用いられているが、第５の実施形態の照明装置１００では、代わりに、例えば特許文献２の図１および図３に記載されているワイヤボンディング実装可能に構成された発光素子１０などのような、光軸方向の一方の側のみに光を出射する任意の発光素子１０を用いることも可能である。
【００３９】
第１の実施形態の照明装置１００では、図５（Ａ）に示すように、発光素子１０の光軸１０’と小さい角度をなして発光素子１０の基板１１側（図５（Ａ）の上側）の部分１０ｂから照射された光Ｌ１が、封止樹脂２６を透過せしめられ、次いで、導光レンズ２７の底面２７ａを透過せしめられ、次いで、導光レンズ２７の頂面２７ｂから出射し、導光レンズ２７を隔てて発光素子１０の反対側（図５（Ａ）の上側）に照射される。また、発光素子１０の光軸１０’と光Ｌ１よりも大きい角度をなして発光素子１０の基板１１側（図５（Ａ）の上側）の部分１０ｂから照射された光Ｌ２が、封止樹脂２６を透過せしめられ、次いで、導光レンズ２７の底面２７ａを透過せしめられ、次いで、導光レンズ２７の頂面２７ｂから出射し、導光レンズ２７を隔てて発光素子１０の反対側（図５（Ａ）の上側）に照射される。
【００４０】
更に、第１の実施形態の照明装置１００では、図５（Ｂ）に示すように、発光素子１０の光軸１０’と光Ｌ２（図５（Ａ）参照）よりも大きい角度をなして発光素子１０の基板１１側（図５（Ｂ）の上側）の部分１０ｂから照射された光Ｌ３が、封止樹脂２６を透過せしめられ、次いで、導光レンズ２７の底面２７ａを透過せしめられ、次いで、導光レンズ２７の側面２７ｃのうち、導光レンズ２７の中心軸線２７’の一方の側（図５（Ｂ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図５（Ｂ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図５（Ｂ）の下側）に照射される。
【００４１】
また、第１の実施形態の照明装置１００では、図５（Ｃ）に示すように、発光素子１０（図５（Ａ）および図５（Ｂ）参照）の光軸１０’と光Ｌ３（図５（Ｂ）参照）よりも大きい角度をなして発光素子１０の基板１１側（図５（Ｃ）の上側）の部分１０ｂから照射された光Ｌ４が、封止樹脂２６を透過せしめられ、次いで、導光レンズ２７の底面２７ａを透過せしめられ、次いで、導光レンズ２７の側面２７ｃのうち、導光レンズ２７の中心軸線２７’の一方の側（図５（Ｃ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図５（Ｃ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図５（Ｃ）の下側）に照射される。
【００４２】
そのため、第１の実施形態の照明装置１００によれば、発光素子１０の発光層１３からの光が発光素子１０の電極１５側（図５の下側）の部分１０ａ（図２（Ｃ）参照）から出射しない発光素子１０を用いつつ、発光素子１０からの光Ｌ１，Ｌ２を、導光レンズ２７を隔てて発光素子１０の反対側（図５（Ａ）の上側）に照射すると共に、発光素子１０からの光Ｌ３，Ｌ４を、発光素子１０を隔てて導光レンズ２７の反対側（図５（Ｂ）および図５（Ｃ）の下側）に照射することができる。
【００４３】
詳細には、第１の実施形態の照明装置１００では、図５（Ｂ）および図５（Ｃ）に示すように、導光レンズ２７の頂面２７ｂの半径Ｒ２７ｂ（図４（Ａ）参照）が発光素子１０の外接円１０”（図２（Ｂ）参照）の半径Ｒ１０（図２（Ｂ）参照）よりも大きくなるように導光レンズ２７が形成されている。そのため、第１の実施形態の照明装置１００では、図５（Ｂ）に示すように、導光レンズ２７の側面２７ｃのうち、導光レンズ２７の中心軸線２７’の他方の側（図５（Ｂ）の左側）の部分２７ｃ２からの反射光Ｌ’が導光レンズ２７の中心軸線２７’から離れる側（図５（Ｂ）の左側）に進むという現象は生じない。第１の実施形態の照明装置１００では、図５（Ｂ）および図５（Ｃ）に示すように、導光レンズ２７の側面２７ｃのうち、導光レンズ２７の中心軸線２７’の他方の側（図５（Ｂ）および図５（Ｃ）の左側）の部分２７ｃ２からのすべての反射光Ｌ３，Ｌ４が、導光レンズ２７の中心軸線２７’に近づく側（図５（Ｂ）および図５（Ｃ）の右側）に進む光になる。
【００４４】
その結果、第１の実施形態の照明装置１００によれば、図５（Ｂ）および図５（Ｃ）に示すように、導光レンズ２７の側面２７ｃのうち導光レンズ２７の中心軸線２７’の他方の側（図５（Ｂ）および図５（Ｃ）の左側）の部分２７ｃ２からの反射光Ｌ’（図５（Ｂ）参照）が導光レンズ２７の中心軸線２７’から離れる側（図５（Ｂ）および図５（Ｃ）の左側）に進む場合よりも、導光レンズ２７の側面２７ｃのうち導光レンズ２７の中心軸線２７’の他方の側（図５（Ｂ）および図５（Ｃ）の左側）の部分２７ｃ２からの反射光Ｌ３，Ｌ４を透過させるための透明な基材２１の径方向寸法（図５（Ｂ）および図５（Ｃ）の左右方向寸法）を小型化することができる。
【００４５】
つまり、第１の実施形態の照明装置１００によれば、図５（Ｂ）および図５（Ｃ）に示すように、導光レンズ２７の側面２７ｃのうち導光レンズ２７の中心軸線２７’の他方の側（図５（Ｂ）および図５（Ｃ）の左側）の部分２７ｃ２からの反射光Ｌ’（図５（Ｂ）参照）が導光レンズ２７の中心軸線２７’から離れる側（図５（Ｂ）および図５（Ｃ）の左側）に進む場合よりも、導光レンズ２７の側面２７ｃのうち導光レンズ２７の中心軸線２７’の他方の側（図５（Ｂ）および図５（Ｃ）の左側）の部分２７ｃ２からの反射光Ｌ３，Ｌ４を遮ってしまうおそれがある例えば給電用端子２３，２５のような部材を導光レンズ２７の中心軸線２７’の近くに配置することができ、照明装置１００全体の径方向寸法（図５（Ｂ）および図５（Ｃ）の左右方向寸法）を小型化することができる。
【００４６】
更に、第１の実施形態の照明装置１００では、図５（Ｃ）に示すように、例えばアクリルによって形成されている導光レンズ２７と空気との界面に入射する光の臨界角と等しい大きさの４２．２°の入射角で導光レンズ２７の底面２７ａに入射する発光素子１０の基板１１側（図５（Ｃ）の上側）の部分１０ｂからの光Ｌ４が、導光レンズ２７の側面２７ｃのうち、導光レンズ２７の中心軸線２７’の一方の側（図５（Ｃ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図５（Ｃ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図５（Ｃ）の下側）に照射されるように、導光レンズ２７の形状が設定されると共に、発光素子１０が導光レンズ２７に対して配置されている。
【００４７】
詳細には、第１の実施形態の照明装置１００では、図５（Ｃ）に示すように、導光レンズ２７の中心軸線２７’と２１°の角度をなす線分を、導光レンズ２７の中心軸線２７’を中心に回転させることによって、導光レンズ２７の側面２７ｃが形成されている。そのため、第１の実施形態の照明装置１００では、発光素子１０からの光Ｌ４が４２．２°の入射角で導光レンズ２７の底面２７ａに入射すると、導光レンズ２７の側面２７ｃのうち、導光レンズ２７の中心軸線２７’の一方の側（図５（Ｃ）の右側）の部分２７ｃ１に入射する導光レンズ２７の底面２７ａからの光Ｌ４の入射角が４２．２°になる。その結果、第１の実施形態の照明装置１００では、導光レンズ２７の底面２７ａからの光Ｌ４が、導光レンズ２７の側面２７ｃのうち、導光レンズ２７の中心軸線２７’の一方の側（図５（Ｃ）の右側）の部分２７ｃ１によって全反射される。更に、第１の実施形態の照明装置１００では、導光レンズ２７の側面２７ｃのうち、導光レンズ２７の中心軸線２７’の一方の側（図５（Ｃ）の右側）の部分２７ｃ１からの光Ｌ４が、６８．８°の入射角で導光レンズ２７の頂面２７ｂに入射し、導光レンズ２７の頂面２７ｂによって全反射される。
【００４８】
つまり、第１の実施形態の照明装置１００では、図５（Ｃ）に示すように、発光素子１０の光軸１０’に対して導光レンズ２７と空気との界面に入射する光の臨界角と等しい４２．２°の角度をなす発光素子１０の基板１１側（図５（Ｃ）の上側）の部分１０ｂからの光Ｌ４が、有効利用され、発光素子１０を隔てて導光レンズ２７の反対側（図５（Ｃ）の下側）に照射される。
【００４９】
そのため、第１の実施形態の照明装置１００によれば、発光素子１０の光軸１０’に対して導光レンズ２７と空気との界面に入射する光の臨界角と等しい４２．２°の角度をなす発光素子１０の基板１１側（図５（Ｃ）の上側）の部分１０ｂからの光Ｌ４が導光レンズ２７の底面２７ａに入射しない場合、導光レンズ２７と空気との界面に入射する光の臨界角と等しい４２．２°の入射角で導光レンズ２７の底面２７ａに入射する発光素子１０の基板１１側（図５（Ｃ）の上側）の部分１０ｂからの光Ｌ４が導光レンズ２７の側面２７ｃのうち導光レンズ２７の中心軸線２７’の一方の側（図５（Ｃ）の右側）の部分２７ｃ１に臨界角より小さい入射角で入射し、導光レンズ２７の側面２７ｃのうち導光レンズ２７の中心軸線２７’の一方の側（図５（Ｃ）の右側）の部分２７ｃ１によって全反射されない場合、あるいは、導光レンズ２７と空気との界面に入射する光の臨界角と等しい４２．２°の入射角で導光レンズ２７の底面２７ａに入射する発光素子１０の基板１１側（図５（Ｃ）の上側）の部分１０ｂからの光Ｌ４が導光レンズ２７の頂面２７ｂに臨界角より小さい入射角で入射し、導光レンズ２７の頂面２７ｂによって全反射されない場合よりも、発光素子１０を隔てて導光レンズ２７の反対側（図５（Ｃ）の下側）に照射される光Ｌ４を増加させることができる。
【００５０】
以下、本発明の照明装置の第６の実施形態について説明する。第６の実施形態の照明装置１００は、後述する点を除き、上述した第１の実施形態の照明装置１００とほぼ同様に構成されている。従って、第６の実施形態の照明装置１００によれば、後述する点を除き、上述した第１の実施形態の照明装置１００とほぼ同様の効果を奏することができる。
【００５１】
図６および図７は第６の実施形態の照明装置１００および第６の実施形態の照明装置１００から照射される光Ｌ１１，Ｌ１２，Ｌ１３，Ｌ１４を説明するための図である。図１および図６（Ａ）に示すように、第６の実施形態の照明装置１００では、発光素子１０と導光レンズ２７との間隔が第１の実施形態の照明装置１００（図１参照）よりも大きくされている。
【００５２】
その結果、第６の実施形態の照明装置１００では、図６（Ｂ）に示すように、発光素子１０の光軸１０’と小さい角度をなして発光素子１０の基板１１側（図６（Ｂ）の上側）の部分１０ｂから照射された光Ｌ１１が、封止樹脂２６を透過せしめられ、次いで、導光レンズ２７の底面２７ａを透過せしめられ、次いで、導光レンズ２７の頂面２７ｂから出射し、導光レンズ２７を隔てて発光素子１０の反対側（図６（Ｂ）の上側）に照射される。また、発光素子１０の光軸１０’と光Ｌ１１よりも大きい角度をなして発光素子１０の基板１１側（図６（Ｂ）の上側）の部分１０ｂから照射された光Ｌ１２が、封止樹脂２６を透過せしめられ、次いで、導光レンズ２７の底面２７ａを透過せしめられ、次いで、導光レンズ２７の頂面２７ｂから出射し、導光レンズ２７を隔てて発光素子１０の反対側（図６（Ｂ）の上側）に照射される。
【００５３】
更に、第６の実施形態の照明装置１００では、図７（Ａ）に示すように、発光素子１０の光軸１０’と光Ｌ１２（図６（Ｂ）参照）よりも大きい角度をなして発光素子１０の基板１１側（図７（Ａ）の上側）の部分１０ｂから照射された光Ｌ１３が、封止樹脂２６を透過せしめられ、次いで、導光レンズ２７の底面２７ａを透過せしめられ、次いで、導光レンズ２７の側面２７ｃのうち、導光レンズ２７の中心軸線２７’の一方の側（図７（Ａ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図７（Ａ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図７（Ａ）の下側）に照射される。
【００５４】
また、第６の実施形態の照明装置１００では、図７（Ｂ）に示すように、発光素子１０の光軸１０’と光Ｌ１３（図７（Ａ）参照）よりも大きい角度をなして発光素子１０の基板１１側（図７（Ｂ）の上側）の部分１０ｂから照射された光Ｌ１４が、封止樹脂２６を透過せしめられ、次いで、導光レンズ２７の底面２７ａを透過せしめられ、次いで、導光レンズ２７の側面２７ｃのうち、導光レンズ２７の中心軸線２７’の一方の側（図７（Ｂ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図７（Ｂ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図７（Ｂ）の下側）に照射される。
【００５５】
そのため、第６の実施形態の照明装置１００によれば、発光素子１０の発光層１３からの光が発光素子１０の電極１５側（図６および図７の下側）の部分１０ａ（図２（Ｃ）参照）から出射しない発光素子１０を用いつつ、発光素子１０からの光Ｌ１１，Ｌ１２を、導光レンズ２７を隔てて発光素子１０の反対側（図６（Ｂ）の上側）に照射すると共に、発光素子１０からの光Ｌ１３，Ｌ１４を、発光素子１０を隔てて導光レンズ２７の反対側（図７（Ａ）および図７（Ｂ）の下側）に照射することができる。
【００５６】
詳細には、第６の実施形態の照明装置１００では、図７（Ａ）および図７（Ｂ）に示すように、導光レンズ２７の頂面２７ｂの半径Ｒ２７ｂ（図４（Ａ）参照）が発光素子１０の外接円１０”（図２（Ｂ）参照）の半径Ｒ１０（図２（Ｂ）参照）よりも大きくなるように導光レンズ２７が形成されている。そのため、第６の実施形態の照明装置１００では、図７（Ａ）および図７（Ｂ）に示すように、導光レンズ２７の側面２７ｃのうち、導光レンズ２７の中心軸線２７’の他方の側（図７（Ａ）および図７（Ｂ）の左側）の部分２７ｃ２からのすべての反射光Ｌ１３，Ｌ１４が、導光レンズ２７の中心軸線２７’に近づく側（図７（Ａ）および図７（Ｂ）の右側）に進む光になる。
【００５７】
その結果、第６の実施形態の照明装置１００によれば、導光レンズ２７の側面２７ｃのうち導光レンズ２７の中心軸線２７’の他方の側（図７（Ａ）および図７（Ｂ）の左側）の部分２７ｃ２からの反射光Ｌ１３，Ｌ１４が導光レンズ２７の中心軸線２７’から離れる側（図７（Ａ）および図７（Ｂ）の左側）に進む場合よりも、導光レンズ２７の側面２７ｃのうち導光レンズ２７の中心軸線２７’の他方の側（図７（Ａ）および図７（Ｂ）の左側）の部分２７ｃ２からの反射光Ｌ１３，Ｌ１４を透過させるための透明な基材２１の径方向寸法（図７（Ａ）および図７（Ｂ）の左右方向寸法）を小型化することができる。
【００５８】
つまり、第６の実施形態の照明装置１００によれば、導光レンズ２７の側面２７ｃのうち導光レンズ２７の中心軸線２７’の他方の側（図７（Ａ）および図７（Ｂ）の左側）の部分２７ｃ２からの反射光Ｌ１３，Ｌ１４が導光レンズ２７の中心軸線２７’から離れる側（図７（Ａ）および図７（Ｂ）の左側）に進む場合よりも、導光レンズ２７の側面２７ｃのうち導光レンズ２７の中心軸線２７’の他方の側（図７（Ａ）および図７（Ｂ）の左側）の部分２７ｃ２からの反射光Ｌ１３，Ｌ１４を遮ってしまうおそれがある例えば給電用端子２３，２５のような部材を導光レンズ２７の中心軸線２７’の近くに配置することができ、照明装置１００全体の径方向寸法（図７（Ａ）および図７（Ｂ）の左右方向寸法）を小型化することができる。
【００５９】
更に、第６の実施形態の照明装置１００では、図７（Ａ）および図７（Ｂ）に示すように、発光素子１０の基板１１側（図７（Ａ）および図７（Ｂ）の上側）の部分１０ｂから照射され、封止樹脂２６を透過せしめられ、導光レンズ２７の底面２７ａを透過せしめられ、導光レンズ２７の側面２７ｃのうち、導光レンズ２７の中心軸線２７’の一方の側（図７（Ａ）および図７（Ｂ）の右側）の部分２７ｃ１に入射するすべての光Ｌ１３，Ｌ１４，…の入射角が臨界角（４２．２°）以上の角度になるように、導光レンズ２７の形状が第１の実施形態の照明装置１００の導光レンズ２７（図１参照）の形状と同一に設定されると共に、導光レンズ２７と発光素子１０との間隔が第１の実施形態の照明装置１００（図１参照）よりも大きくなるように、導光レンズ２７に対して発光素子１０が配置されている。
【００６０】
つまり、第６の実施形態の照明装置１００では、図７（Ａ）および図７（Ｂ）に示すように、発光素子１０の基板１１側（図７（Ａ）および図７（Ｂ）の上側）の部分１０ｂから照射され、封止樹脂２６を透過せしめられ、導光レンズ２７の底面２７ａを透過せしめられ、導光レンズ２７の側面２７ｃのうち、導光レンズ２７の中心軸線２７’の一方の側（図７（Ａ）および図７（Ｂ）の右側）の部分２７ｃ１に入射するすべての光Ｌ１３，Ｌ１４，…が、導光レンズ２７の側面２７ｃのうち導光レンズ２７の中心軸線２７’の一方の側（図７（Ａ）および図７（Ｂ）の右側）の部分２７ｃ１によって全反射される。
【００６１】
そのため、第６の実施形態の照明装置１００によれば、発光素子１０の基板１１側（図７（Ａ）および図７（Ｂ）の上側）の部分１０ｂから照射され、封止樹脂２６を透過せしめられ、導光レンズ２７の底面２７ａを透過せしめられ、導光レンズ２７の側面２７ｃのうち、導光レンズ２７の中心軸線２７’の一方の側（図７（Ａ）および図７（Ｂ）の右側）の部分２７ｃ１に入射する光Ｌ１３，Ｌ１４，…の一部が、導光レンズ２７の側面２７ｃのうち、導光レンズ２７の中心軸線２７’の一方の側（図７（Ａ）および図７（Ｂ）の右側）の部分２７ｃ１を透過せしめられる場合よりも、発光素子１０を隔てて導光レンズ２７の反対側に照射される光Ｌ１３，Ｌ１４，…を増加させることができる。
【００６２】
以下、本発明の照明装置の第７の実施形態について説明する。第７の実施形態の照明装置１００は、後述する点を除き、上述した第１の実施形態の照明装置１００とほぼ同様に構成されている。従って、第７の実施形態の照明装置１００によれば、後述する点を除き、上述した第１の実施形態の照明装置１００とほぼ同様の効果を奏することができる。
【００６３】
図８および図９は第７の実施形態の照明装置１００および第７の実施形態の照明装置１００から照射される光Ｌ２１，Ｌ２２，Ｌ２３，Ｌ２４を説明するための図である。図１および図８（Ａ）に示すように、第７の実施形態の照明装置１００では、発光素子１０と導光レンズ２７の底面２７ａとの間隔が第１の実施形態の照明装置１００（図１参照）と等しくされ、導光レンズ２７の底面２７ａと頂面２７ｂとの間隔が第１の実施形態の照明装置１００（図１参照）よりも大きくされている。
【００６４】
その結果、第７の実施形態の照明装置１００では、図８（Ｂ）に示すように、発光素子１０の光軸１０’と小さい角度をなして発光素子１０の基板１１側（図８（Ｂ）の上側）の部分１０ｂから照射された光Ｌ２１が、封止樹脂２６を透過せしめられ、次いで、導光レンズ２７の底面２７ａを透過せしめられ、次いで、導光レンズ２７の頂面２７ｂから出射し、導光レンズ２７を隔てて発光素子１０の反対側（図８（Ｂ）の上側）に照射される。また、発光素子１０の光軸１０’と光Ｌ２１よりも大きい角度をなして発光素子１０の基板１１側（図８（Ｂ）の上側）の部分１０ｂから照射された光Ｌ２２が、封止樹脂２６を透過せしめられ、次いで、導光レンズ２７の底面２７ａを透過せしめられ、次いで、導光レンズ２７の頂面２７ｂから出射し、導光レンズ２７を隔てて発光素子１０の反対側（図８（Ｂ）の上側）に照射される。
【００６５】
更に、第７の実施形態の照明装置１００では、図９（Ａ）に示すように、発光素子１０の光軸１０’と光Ｌ２２（図８（Ｂ）参照）よりも大きい角度をなして発光素子１０の基板１１側（図９（Ａ）の上側）の部分１０ｂから照射された光Ｌ２３が、封止樹脂２６を透過せしめられ、次いで、導光レンズ２７の底面２７ａを透過せしめられ、次いで、導光レンズ２７の側面２７ｃのうち、導光レンズ２７の中心軸線２７’の一方の側（図９（Ａ）の右側）の部分２７ｃ１によって全反射され、次いで、導光レンズ２７の頂面２７ｂによって反射され、次いで、導光レンズ２７の側面２７ｃのうち、導光レンズ２７の中心軸線２７’の他方の側（図９（Ａ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図９（Ａ）の下側）に照射される。
【００６６】
また、第７の実施形態の照明装置１００では、図９（Ｂ）に示すように、発光素子１０の光軸１０’と光Ｌ２３（図９（Ａ）参照）よりも大きい角度をなして発光素子１０の基板１１側（図９（Ｂ）の上側）の部分１０ｂから照射された光Ｌ２４が、封止樹脂２６を透過せしめられ、次いで、導光レンズ２７の底面２７ａを透過せしめられ、次いで、導光レンズ２７の側面２７ｃのうち、導光レンズ２７の中心軸線２７’の一方の側（図９（Ｂ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図９（Ｂ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図９（Ｂ）の下側）に照射される。
【００６７】
そのため、第７の実施形態の照明装置１００によれば、発光素子１０の発光層１３からの光が発光素子１０の電極１５側（図８および図９の下側）の部分１０ａ（図２（Ｃ）参照）から出射しない発光素子１０を用いつつ、発光素子１０からの光Ｌ２１，Ｌ２２を、導光レンズ２７を隔てて発光素子１０の反対側（図８（Ｂ）の上側）に照射すると共に、発光素子１０からの光Ｌ２３，Ｌ２４を、発光素子１０を隔てて導光レンズ２７の反対側（図９（Ａ）および図９（Ｂ）の下側）に照射することができる。
【００６８】
詳細には、第７の実施形態の照明装置１００では、図９（Ａ）および図９（Ｂ）に示すように、導光レンズ２７の頂面２７ｂの半径Ｒ２７ｂ（図４（Ａ）参照）が発光素子１０の外接円１０”（図２（Ｂ）参照）の半径Ｒ１０（図２（Ｂ）参照）よりも大きくなるように導光レンズ２７が形成されている。そのため、第７の実施形態の照明装置１００では、図９（Ａ）および図９（Ｂ）に示すように、導光レンズ２７の側面２７ｃのうち、導光レンズ２７の中心軸線２７’の他方の側（図９（Ａ）および図９（Ｂ）の左側）の部分２７ｃ２からのすべての反射光Ｌ２３，Ｌ２４が、導光レンズ２７の中心軸線２７’に近づく側（図９（Ａ）および図９（Ｂ）の右側）に進む光になる。
【００６９】
その結果、第７の実施形態の照明装置１００によれば、図９（Ａ）および図９（Ｂ）に示すように、導光レンズ２７の側面２７ｃのうち導光レンズ２７の中心軸線２７’の他方の側（図９（Ａ）および図９（Ｂ）の左側）の部分２７ｃ２からの反射光Ｌ２３，Ｌ２４が導光レンズ２７の中心軸線２７’から離れる側（図９（Ａ）および図９（Ｂ）の左側）に進む場合よりも、導光レンズ２７の側面２７ｃのうち導光レンズ２７の中心軸線２７’の他方の側（図９（Ａ）および図９（Ｂ）の左側）の部分２７ｃ２からの反射光Ｌ２３，Ｌ２４を透過させるための透明な基材２１の径方向寸法（図９（Ａ）および図９（Ｂ）の左右方向寸法）を小型化することができる。
【００７０】
つまり、第１の実施形態の照明装置１００によれば、図９（Ａ）および図９（Ｂ）に示すように、導光レンズ２７の側面２７ｃのうち導光レンズ２７の中心軸線２７’の他方の側（図９（Ａ）および図９（Ｂ）の左側）の部分２７ｃ２からの反射光Ｌ２３，Ｌ２４が導光レンズ２７の中心軸線２７’から離れる側（図９（Ａ）および図９（Ｂ）の左側）に進む場合よりも、導光レンズ２７の側面２７ｃのうち導光レンズ２７の中心軸線２７’の他方の側（図９（Ａ）および図９（Ｂ）の左側）の部分２７ｃ２からの反射光Ｌ２３，Ｌ２４を遮ってしまうおそれがある例えば給電用端子２３，２５のような部材を導光レンズ２７の中心軸線２７’の近くに配置することができ、照明装置１００全体の径方向寸法（図９（Ａ）および図９（Ｂ）の左右方向寸法）を小型化することができる。
【００７１】
更に、第７の実施形態の照明装置１００では、図９（Ｂ）に示すように、例えばアクリルによって形成されている導光レンズ２７と空気との界面に入射する光の臨界角と等しい大きさの４２．２°の入射角で導光レンズ２７の底面２７ａに入射する発光素子１０の基板１１側（図９（Ｂ）の上側）の部分１０ｂからの光Ｌ２４が、導光レンズ２７の側面２７ｃのうち、導光レンズ２７の中心軸線２７’の一方の側（図９（Ｂ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図９（Ｂ）の左側）の部分２７ｃ２によって全反射され、次いで、導光レンズ２７の底面２７ａから出射し、次いで、発光素子１０よりも導光レンズ２７の中心軸線２７’から離れた位置の封止樹脂２６および透明な基材２１を透過せしめられ、発光素子１０を隔てて導光レンズ２７の反対側（図９（Ｂ）の下側）に照射されるように、導光レンズ２７の形状が設定されると共に、発光素子１０が導光レンズ２７に対して配置されている。
【００７２】
詳細には、第７の実施形態の照明装置１００では、図９（Ｂ）に示すように、導光レンズ２７の中心軸線２７’と７．７°の角度をなす線分を、導光レンズ２７の中心軸線２７’を中心に回転させることによって、導光レンズ２７の側面２７ｃが形成されている。そのため、第７の実施形態の照明装置１００では、発光素子１０からの光Ｌ２４が４２．２°の入射角で導光レンズ２７の底面２７ａに入射すると、導光レンズ２７の側面２７ｃのうち、導光レンズ２７の中心軸線２７’の一方の側（図９（Ｂ）の右側）の部分２７ｃ１に入射する導光レンズ２７の底面２７ａからの光Ｌ２４の入射角が５５．５°になる。その結果、第７の実施形態の照明装置１００では、導光レンズ２７の底面２７ａからの光Ｌ２４が、導光レンズ２７の側面２７ｃのうち、導光レンズ２７の中心軸線２７’の一方の側（図９（Ｂ）の右側）の部分２７ｃ１によって全反射される。更に、第７の実施形態の照明装置１００では、導光レンズ２７の側面２７ｃのうち、導光レンズ２７の中心軸線２７’の一方の側（図９（Ｂ）の右側）の部分２７ｃ１からの光Ｌ４が、４２．２°の入射角で導光レンズ２７の頂面２７ｂに入射し、導光レンズ２７の頂面２７ｂによって全反射される。
【００７３】
つまり、第７の実施形態の照明装置１００では、図９（Ｂ）に示すように、発光素子１０の光軸１０’に対して導光レンズ２７と空気との界面に入射する光の臨界角と等しい４２．２°の角度をなす発光素子１０の基板１１側（図９（Ｂ）の上側）の部分１０ｂからの光Ｌ２４が、有効利用され、発光素子１０を隔てて導光レンズ２７の反対側（図９（Ｂ）の下側）に照射される。
【００７４】
そのため、第７の実施形態の照明装置１００によれば、発光素子１０の光軸１０’に対して導光レンズ２７と空気との界面に入射する光の臨界角と等しい４２．２°の角度をなす発光素子１０の基板１１側（図９（Ｂ）の上側）の部分１０ｂからの光Ｌ２４が導光レンズ２７の底面２７ａに入射しない場合、導光レンズ２７と空気との界面に入射する光の臨界角と等しい４２．２°の入射角で導光レンズ２７の底面２７ａに入射する発光素子１０の基板１１側（図９（Ｂ）の上側）の部分１０ｂからの光Ｌ２４が導光レンズ２７の側面２７ｃのうち導光レンズ２７の中心軸線２７’の一方の側（図９（Ｂ）の右側）の部分２７ｃ１に臨界角より小さい入射角で入射し、導光レンズ２７の側面２７ｃのうち導光レンズ２７の中心軸線２７’の一方の側（図９（Ｂ）の右側）の部分２７ｃ１によって全反射されない場合、あるいは、導光レンズ２７と空気との界面に入射する光の臨界角と等しい４２．２°の入射角で導光レンズ２７の底面２７ａに入射する発光素子１０の基板１１側（図９（Ｂ）の上側）の部分１０ｂからの光Ｌ２４が導光レンズ２７の頂面２７ｂに臨界角より小さい入射角で入射し、導光レンズ２７の頂面２７ｂによって全反射されない場合よりも、発光素子１０を隔てて導光レンズ２７の反対側（図９（Ｃ）の下側）に照射される光Ｌ２４を増加させることができる。
【００７５】
以下、本発明の照明装置の第８の実施形態について説明する。第８の実施形態の照明装置１００は、後述する点を除き、上述した第１の実施形態の照明装置１００とほぼ同様に構成されている。従って、第８の実施形態の照明装置１００によれば、後述する点を除き、上述した第１の実施形態の照明装置１００とほぼ同様の効果を奏することができる。
【００７６】
図１０は第８の実施形態の照明装置１００を示した図である。詳細には、図１０は第８の実施形態の照明装置１００の一部を構成する発光素子１０の光軸１０’および導光レンズ２７の中心軸線２７’を含む概略的な断面図である。図１１は第８の実施形態の照明装置１００の一部を構成する発光素子１０を有する発光素子パッケージ４０の拡大部品図である。詳細には、図１１（Ａ）は発光素子パッケージ４０の概略的な拡大平面図、図１１（Ｂ）は図１１（Ａ）のＢ−Ｂ線に沿った概略的な断面図である。
【００７７】
図１２は第８の実施形態の照明装置１００の一部を構成する基材２１の部品図である。詳細には、図１２（Ａ）は基材２１の平面図である。図１２（Ｂ）は基材２１の正面図である。図１２（Ｃ）は図１２（Ａ）のＣ−Ｃ線に沿った概略的な断面図である。図１３は第８の実施形態の照明装置１００から照射される光Ｌ１，Ｌ２，Ｌ３，Ｌ４を説明するための図である。
【００７８】
第１の実施形態の照明装置１００では、図１に示すように、凹部２１ａを有する基材２１に対して発光素子１０が直接実装されているが、第８の実施形態の照明装置１００では、代わりに、図１０および図１１に示すように、リフレクタとしての機能を有する不透明なハウジング４０ａに対して発光素子１０が実装されると共に、発光素子１０が封止樹脂４０ｂによって封止され、発光素子パッケージ４０が構成されている。更に、図１０に示すように、発光素子パッケージ４０が平板状の基材２１に対して実装されている。また、内部空間３１ａを有するスリーブ状の取付部材３１を介して導光レンズ２７が基材２１に接続されている。
【００７９】
第８の実施形態の照明装置１００では、図１３（Ａ）に示すように、発光素子１０の光軸１０’と小さい角度をなして発光素子１０の基板１１側（図１１（Ｂ）の上側）の部分１０ｂ（図１１（Ｂ）参照）から照射された光Ｌ１が、封止樹脂４０ｂ（図１１（Ｂ）参照）を透過せしめられ、次いで、導光レンズ２７の底面２７ａを透過せしめられ、次いで、導光レンズ２７の頂面２７ｂから出射し、導光レンズ２７を隔てて発光素子１０の反対側（図１３（Ａ）の上側）に照射される。また、発光素子１０の光軸１０’と光Ｌ１よりも大きい角度をなして発光素子１０の基板１１側（図１１（Ｂ）の上側）の部分１０ｂ（図１１（Ｂ）参照）から照射された光Ｌ２が、封止樹脂４０ｂ（図１１（Ｂ）参照）を透過せしめられ、次いで、導光レンズ２７の底面２７ａを透過せしめられ、次いで、導光レンズ２７の頂面２７ｂから出射し、導光レンズ２７を隔てて発光素子１０の反対側（図１３（Ａ）の上側）に照射される。
【００８０】
更に、第８の実施形態の照明装置１００では、図１３（Ｂ）に示すように、発光素子１０の光軸１０’と光Ｌ２（図１３（Ａ）参照）よりも大きい角度をなして発光素子１０の基板１１側（図１１（Ｂ）の上側）の部分１０ｂ（図１１（Ｂ）参照）から照射された光Ｌ３が、封止樹脂４０ｂ（図１１（Ｂ）参照）を透過せしめられ、次いで、導光レンズ２７の底面２７ａを透過せしめられ、次いで、導光レンズ２７の側面２７ｃのうち、導光レンズ２７の中心軸線２７’の一方の側（図１３（Ｂ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図１３（Ｂ）の左側）の部分２７ｃ２によって全反射され、次いで、導光レンズ２７の底面２７ａから出射し、次いで、発光素子１０よりも導光レンズ２７の中心軸線２７’から離れた位置の透明な基材２１を透過せしめられ、発光素子１０を隔てて導光レンズ２７の反対側（図１３（Ｂ）の下側）に照射される。
【００８１】
また、第８の実施形態の照明装置１００では、図１３（Ｃ）に示すように、発光素子１０の光軸１０’と光Ｌ３（図１３（Ｂ）参照）よりも大きい角度をなして発光素子１０の基板１１側（図１１（Ｂ）の上側）の部分１０ｂ（図１１（Ｂ）参照）から照射された光Ｌ４が、封止樹脂４０ｂ（図１１（Ｂ）参照）を透過せしめられ、次いで、導光レンズ２７の底面２７ａを透過せしめられ、次いで、導光レンズ２７の側面２７ｃのうち、導光レンズ２７の中心軸線２７’の一方の側（図１３（Ｃ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図１３（Ｃ）の左側）の部分２７ｃ２によって全反射され、次いで、導光レンズ２７の底面２７ａから出射し、次いで、発光素子１０よりも導光レンズ２７の中心軸線２７’から離れた位置の透明な基材２１を透過せしめられ、発光素子１０を隔てて導光レンズ２７の反対側（図１３（Ｃ）の下側）に照射される。
【００８２】
以下、本発明の照明装置の第９の実施形態について説明する。第９の実施形態の照明装置１００は、後述する点を除き、上述した第１の実施形態の照明装置１００とほぼ同様に構成されている。従って、第９の実施形態の照明装置１００によれば、後述する点を除き、上述した第１の実施形態の照明装置１００とほぼ同様の効果を奏することができる。
【００８３】
図１４は第９の実施形態の照明装置１００を示した図である。詳細には、図１４は第９の実施形態の照明装置１００の一部を構成する発光素子１０の光軸１０’および導光レンズ２７の中心軸線２７’を含む概略的な断面図である。図１５は第９の実施形態の照明装置１００の一部を構成する発光素子１０を有する発光素子パッケージ４０の拡大部品図である。詳細には、図１５（Ａ）は発光素子パッケージ４０の概略的な拡大平面図、図１５（Ｂ）は図１５（Ａ）のＤ−Ｄ線に沿った概略的な断面図である。図１６は第９の実施形態の照明装置１００から照射される光Ｌ１，Ｌ２，Ｌ３，Ｌ４を説明するための図である。
【００８４】
第１の実施形態の照明装置１００では、図１に示すように、凹部２１ａを有する基材２１に対して発光素子１０が直接実装されているが、第９の実施形態の照明装置１００では、代わりに、図１４および図１５に示すように、不透明な平板状の基板４０ｃに対して発光素子１０が実装されると共に、発光素子１０が封止樹脂４０ｂによって封止され、発光素子パッケージ４０が構成されている。更に、図１４に示すように、発光素子パッケージ４０が平板状の基材２１に対して実装されている。また、内部空間３１ａを有するスリーブ状の取付部材３１を介して導光レンズ２７が基材２１に接続されている。
【００８５】
第９の実施形態の照明装置１００では、図１６（Ａ）に示すように、発光素子１０の光軸１０’と小さい角度をなして発光素子１０の基板１１側（図１５（Ｂ）の上側）の部分１０ｂ（図１５（Ｂ）参照）から照射された光Ｌ１が、封止樹脂４０ｂ（図１５（Ｂ）参照）を透過せしめられ、次いで、導光レンズ２７の底面２７ａを透過せしめられ、次いで、導光レンズ２７の頂面２７ｂから出射し、導光レンズ２７を隔てて発光素子１０の反対側（図１６（Ａ）の上側）に照射される。また、発光素子１０の光軸１０’と光Ｌ１よりも大きい角度をなして発光素子１０の基板１１側（図１５（Ｂ）の上側）の部分１０ｂ（図１５（Ｂ）参照）から照射された光Ｌ２が、封止樹脂４０ｂ（図１５（Ｂ）参照）を透過せしめられ、次いで、導光レンズ２７の底面２７ａを透過せしめられ、次いで、導光レンズ２７の頂面２７ｂから出射し、導光レンズ２７を隔てて発光素子１０の反対側（図１６（Ａ）の上側）に照射される。
【００８６】
更に、第９の実施形態の照明装置１００では、図１６（Ｂ）に示すように、発光素子１０の光軸１０’と光Ｌ２（図１６（Ａ）参照）よりも大きい角度をなして発光素子１０の基板１１側（図１５（Ｂ）の上側）の部分１０ｂ（図１５（Ｂ）参照）から照射された光Ｌ３が、封止樹脂４０ｂ（図１５（Ｂ）参照）を透過せしめられ、次いで、導光レンズ２７の底面２７ａを透過せしめられ、次いで、導光レンズ２７の側面２７ｃのうち、導光レンズ２７の中心軸線２７’の一方の側（図１６（Ｂ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図１６（Ｂ）の左側）の部分２７ｃ２によって全反射され、次いで、導光レンズ２７の底面２７ａから出射し、次いで、発光素子１０よりも導光レンズ２７の中心軸線２７’から離れた位置の透明な基材２１を透過せしめられ、発光素子１０を隔てて導光レンズ２７の反対側（図１６（Ｂ）の下側）に照射される。
【００８７】
また、第９の実施形態の照明装置１００では、図１６（Ｃ）に示すように、発光素子１０の光軸１０’と光Ｌ３（図１６（Ｂ）参照）よりも大きい角度をなして発光素子１０の基板１１側（図１５（Ｂ）の上側）の部分１０ｂ（図１５（Ｂ）参照）から照射された光Ｌ４が、封止樹脂４０ｂ（図１５（Ｂ）参照）を透過せしめられ、次いで、導光レンズ２７の底面２７ａを透過せしめられ、次いで、導光レンズ２７の側面２７ｃのうち、導光レンズ２７の中心軸線２７’の一方の側（図１６（Ｃ）の右側）の部分２７ｃ１によって全反射され、次いで、導光レンズ２７の頂面２７ｂによって全反射され、次いで、導光レンズ２７の側面２７ｃのうち、導光レンズ２７の中心軸線２７’の他方の側（図１６（Ｃ）の左側）の部分２７ｃ２によって全反射され、次いで、導光レンズ２７の底面２７ａから出射し、次いで、発光素子１０よりも導光レンズ２７の中心軸線２７’から離れた位置の透明な基材２１を透過せしめられ、発光素子１０を隔てて導光レンズ２７の反対側（図１６（Ｃ）の下側）に照射される。
【００８８】
図１７は本発明の照明装置の適用例を示した図である。図１７に示す例では、第１の実施形態の照明装置１００（図１参照）が透明な板材２００に接続されており、照明装置１００から光Ｌ１，Ｌ２，Ｌ３，Ｌ４（図５参照）が照射される。図１７に示す例では、単一の透明な板材２００に対して１個の照明装置１００（図１参照）が接続されているが、他の例では、代わりに、単一の透明な板材２００に対して複数の照明装置１００（図１参照）を接続することも可能である。また、図１７に示す例では、透明な板材２００が用いられているが、他の例では、代わりに、照明装置１００から光Ｌ３，Ｌ４（図１０参照）の光路上に開口（図示せず）を有する不透明な板材（図示せず）を用いることも可能である。
【００８９】
図１８は本発明の照明装置の他の適用例を示した図である。図１８に示す例では、照明装置１００の基材２１と導光レンズ２７とが相互に接続されておらず、基材２１が透明な板材２０２に接続され、導光レンズ２７が透明な板材２０１に接続されている。更に、照明装置１００から光Ｌ１１，Ｌ１２，Ｌ１３，Ｌ１４（図６（Ｂ）および図７参照）が照射される。図１８に示す例では、単一の透明な板材２０２に対して１個の基材２１が接続され、単一の透明な板材２０１に対して１個の導光レンズ２７が接続されているが、他の例では、代わりに、単一の透明な板材２０２に対して複数の基材２１を接続し、単一の透明な板材２０１に対して複数の導光レンズ２７を接続することも可能である。
【００９０】
第１０の実施形態では、上述した第１から第９の実施形態および各例を適宜組み合わせることも可能である。
【産業上の利用可能性】
【００９１】
本発明の照明装置は、例えば一般照明装置、車両用灯具、遊技機用照明などのような任意の照明装置に適用可能である。
【符号の説明】
【００９２】
１０                発光素子
１０’              光軸
１０”              外接円
１０ａ，１０ｂ      部分
１１                基板
１３                発光層
１５                電極
２１                基材
２１ａ              凹部
２６                封止樹脂
２７                導光レンズ
２７’              中心軸線
２７ａ              底面
２７ｂ              頂面
２７ｃ              側面
２７ｃ１，２７ｃ２  部分
１００              照明装置
【図１】
2011216188.tif 000003
【図２】
2011216188.tif 000004
【図３】
2011216188.tif 000005
【図４】
2011216188.tif 000006
【図５】
2011216188.tif 000007
【図６】
2011216188.tif 000008
【図７】
2011216188.tif 000009
【図８】
2011216188.tif 000010
【図９】
2011216188.tif 000011
【図１０】
2011216188.tif 000012
【図１１】
2011216188.tif 000013
【図１２】
2011216188.tif 000014
【図１３】
2011216188.tif 000015
【図１４】
2011216188.tif 000016
【図１５】
2011216188.tif 000017
【図１６】
2011216188.tif 000018
【図１７】
2011216188.tif 000019
【図１８】
2011216188.tif 000020